(57)【要約】【課題】冷蔵庫の扉開閉を精度良く検知するドアスイッチを、配置スペースを小さく、かつ、外観品位を損なうことなく配設する。【解決手段】冷蔵庫１０本体の内部に形成された貯蔵室１８の前面開口部を閉塞する扉１９と、扉１９の裏面側に配設された磁石６１と、磁石６１と対向する冷蔵庫１０本体に配設され磁石６１による磁束を検出するホールＩＣ６２とを備え、ホールＩＣ６２の近傍に磁性体６６が配設されていることを特徴とする。【選択図】        図４
2009121742.tif 000002
【特許請求の範囲】
【請求項１】
冷蔵庫本体の内部に形成された貯蔵室の前面開口部を閉塞する扉と、前記扉の裏面側に配設された磁石と、前記磁石と対向する前記冷蔵庫本体に配設され前記磁石による磁束を検出するホールＩＣとを備え、前記ホールＩＣの近傍に磁性体が配設されていることを特徴とする冷蔵庫。
【請求項２】
前記ホールＩＣが前記扉の開閉を検知するドアスイッチを構成することを特徴とする請求項１に記載の冷蔵庫。
【請求項３】
前記磁性体が前記磁石と前記ホールＩＣとの間に配設されていることを特徴とする請求項１又は２に記載の冷蔵庫。
【請求項４】
前記ホールＩＣが前記磁石と前記磁性体との間に配設されていることを特徴とする請求項１〜３のいずれか一項に記載の冷蔵庫。
【請求項５】
前記磁性体が取り外し可能に前記冷蔵庫本体に配設されていることを特徴とする請求項１〜４のいずれか一項に記載の冷蔵庫。
【請求項６】
前記磁性体が前記ホールＩＣを実装する基板に配設されたジャンパ線であることを特徴とする請求項１〜５のいずれか一項に記載の冷蔵庫。
【発明の詳細な説明】
【技術分野】
【０００１】
本発明は、冷蔵庫に関し、特に冷蔵庫扉の開閉を検知するドアスイッチを備えた冷蔵庫に関するものである。
【背景技術】
【０００２】
冷蔵庫には、貯蔵室内を照明する庫内灯や庫内空気を循環させるファン等を冷蔵庫扉の開閉に基づき制御するため、扉の開閉を検知するドアスイッチが設けられており、このようなドアスイッチとしてホールＩＣを用いたものが提案されている（例えば、特許文献１参照）。
【０００３】
図５に示す冷蔵庫１００は、内部が仕切板１０２によって上下に仕切られ、上方に第１貯蔵室が、下方に第２貯蔵室が、それぞれ設けられており、各貯蔵室の前面が扉１０４，１０６により閉塞されている。
【０００４】
仕切板１０２には、各扉１０４，１０６に対応するドアスイッチとしてのホールＩＣ１０８，１１０を実装した基板１０７が装着され、各ドア１０４，１０６には、上記各ホールＩＣ１０８，１１０を動作させるための磁石１０８ａ，１１０ａがそれぞれ配設されており、各ホールＩＣ１０８，１１０が対応する磁石１０８ａ，１１０ａの位置を検出することで各扉１０４，１０６の開閉を検知する。
【０００５】
上記のような冷蔵庫においてドアスイッチとしてホールＩＣを用いた場合、ホールＩＣには感度のばらつきがあるため、低感度のホールＩＣであっても扉開閉を検知できるように高い磁束量を有した大きな磁石を扉側に配設する必要があり、配置スペースが大きくなってしまうという問題がある。また、磁石とホールＩＣとを近接させることで小さな磁石により低感度のホールＩＣであっても扉開閉を検知できるが、磁石とホールＩＣとを近接させて配置すると外観品位が損なわれるおそれがあり問題である。
【特許文献１】特開平６−９４３５６号
【発明の開示】
【発明が解決しようとする課題】
【０００６】
本発明は上記問題を考慮してなされたものであり、扉開閉を精度良く検知するドアスイッチを、配置スペースを小さく、かつ、外観品位を損なうことなく配設した冷蔵庫を提供することを目的とする。
【課題を解決するための手段】
【０００７】
本発明の冷蔵庫は、冷蔵庫本体の内部に形成された貯蔵室の前面開口部を閉塞する扉と、前記扉の裏面側に配設された磁石と、前記磁石と対向する前記冷蔵庫本体に配設され前記磁石による磁束を検出するホールＩＣとを備え、前記ホールＩＣの近傍に磁性体が配設されていることを特徴とする。
【発明の効果】
【０００８】
本発明の冷蔵庫であると、扉に配設された磁石の磁束を検出するホールＩＣの近傍に磁性体が配設されているため、ホールＩＣに到達する磁束量を増加させ扉開閉を精度良く検知することができる。
【発明を実施するための最良の形態】
【０００９】
以下、図面に基づき本発明の１実施形態について説明する。図１は本実施形態に係る冷蔵庫１０の斜視図、図２は冷蔵庫１０における最下段の冷凍室１８の開扉状態の外観を示す斜視図、図３は扉開放ユニット５０を示す分解斜視図、図４は冷蔵庫１０の部分断面図である。
【００１０】
冷蔵庫１０は、内箱内部に貯蔵空間として最上部に冷蔵室１２、その下方には断熱仕切壁を介して製氷貯氷室１４と温度切替室１６とを左右に区分して併置しており、最下部には冷凍室１８を独立して配置し、各貯蔵室の前面開口には各々専用の扉を設けて開閉自在に閉塞している。
【００１１】
最も大きな収納容積を有する冷蔵室１２の開口部は、左右の回転式扉で観音開き式にした扉と扉周縁に取着したマグネットガスケットにより内外を気密に閉塞しており、前述したように、使用者の扉表面へのタッチ操作によりソレノイドを駆動して開扉する自動扉開放機構２０を備えている。
【００１２】
冷蔵室１２の下部に配置した製氷貯氷室１４、温度切替室１６、及び冷凍室１８は、扉内側に取り付けられ貯蔵室内奥方に延出する左右一対の支持枠に収納容器２２を載置するとともに、扉を引出し扉１９として前記支持枠と庫内壁面とのレール機構によりそれぞれを庫外に前後方向に引き出す方式としている。
【００１３】
冷凍室１８における収納容器２２は、上面を開口した底の深い箱状をなしており、その開口した上面の周縁にはフランジ部を形成し、このフランジ部を利用して前記上面開口をほとんど覆うとともに、前縁の一部を切り欠いて後方への凹陥部を有する比較的底の浅い皿状の中段容器２４を載置している。
【００１４】
中段容器２４は、冷凍室扉１９を引き出すことで支持枠と庫内壁面との間に配設したスライドレール２６によって収納容器２２とともに引き出されるものであり、この引き出し状態において、フランジ部上を前後方向に摺動可能として収納容器２２の上面開口を開閉し、また中段容器２６自体の引き出し収納ができるように設けている。
【００１５】
また、収納容器２２および中段容器２４の上方には、冷凍室扉１９の開閉とは関連なく独立して引き出し可能に庫内に収納される上段容器２８を設置している。
【００１６】
そして、冷凍室１８の上方を区画する横仕切壁３０には、冷凍室扉１９を開扉する扉開放ユニット４０と、冷凍室扉１９の開閉を検知するドアスイッチ６０と、が設置されている。
【００１７】
扉開放ユニット４０は、図３に示すように、横仕切壁３０のほぼ幅方向中央部に配設され、冷凍室扉１９表面のハンドル部１９ａに形成した磁気レバーからなるタッチスイッチ４１へのタッチ操作によって磁気レバーからの磁束をホールＩＣ４３が検出し、不図示のマイコンにより駆動されるものであり、ヨーク内においてボビンの外周にコイルを巻装してこれを樹脂でモールドしたソレノイド４２と、ソレノイド４２への通電によって吸引され、軸方向にほぼ水平移動する磁性体からなる柱状のプランジャ４４、及びプランジャ４４の先端に固着した押し棒４６とから構成され、横仕切壁３０の前後に亙って取り付けたソレノイドケース４８に固定されている。
【００１８】
ソレノイドケース４８の前面開口部は、押し棒４６の先端部が前方へ延出できるように蛇腹状に形成したシリコンゴム製のシールパッキン５０により閉塞されており、このシールパッキン５０を介して、冷凍室扉１９方向への突出部材として合成樹脂等で形成したノック部材５２を取り付けている。
【００１９】
そして、ソレノイド４２への通電時には、プランジャ４４の前方への水平移動によって押し棒４６の先端部が前方へ延出し、シールパッキン５０を介してノック部材５２の後部に立設する係合片５２ａを押圧し、ノック部材５２の先端部が冷凍室扉１９の裏面側に向かって突出するよう構成されている。
【００２０】
ブランジャ４４の後端側の外周には、圧縮コイルバネからなる戻しバネが配設され、プランジャ４４をソレノイド４２による突出方向とは逆方向へ常時付勢しており、ソレノイド４４への通電が停止した後は、この戻しバネによって押し棒４６を再び後方に引き戻す。
【００２１】
ドアスイッチ６０は、図４に示すように、横仕切壁３０において製氷貯氷室１４及び温度切替室１６を仕切る縦仕切壁３２の下方位置に配設されており、冷凍室扉１９の裏面側に配設された磁石６１からの磁束により冷凍室扉１９の開閉を検知するものあって、磁石６１の磁束を検出するホールＩＣ６２と、ホールＩＣ６２を実装する基板６４と、鉄などの磁性体からなる板状の磁性部材６６とから構成され、横仕切壁３０の前面に取り付けた合成樹脂製のスイッチホルダ６８に固定されている。
【００２２】
スイッチホルダ６８には、ホールＩＣ６２を実装した面を前方に向けて基板６４が固定され、ホールＩＣ６２の前方に所定間隔をあけて磁性部材６６が取り外し可能に固定されており、冷凍室扉１９を閉扉した状態において、冷凍室扉１９の裏面側に配設された磁石６１と基板６４に実装されたホールＩＣ６２との間に磁性部材６６が配置されている。
【００２３】
これにより、磁石６１からホールＩＣ６２に届く磁束量を多くすることができるため、配置スペースを小さく、かつ、外観品位を損なうことなくドアスイッチ６０の感度を向上させ冷凍室扉１９の開閉を精度良く検知することができることができるため、
また、磁性部材６６がスイッチホルダ６８に取り外し可能に固定されているため、磁性部材６６の材質、大きさを変更することができ、ドアスイッチ６０の感度を調整することができる。
【００２４】
このようなドアスイッチ６０は、扉開閉を検出することで、室内の冷却ファンの回転などを制御するのみでなく、冷凍室扉１９が開放している場合は、扉開放ユニット４０を動作させないように制御している。これにより、冷凍室扉１９の開放中に誤ってタッチスイッチ４１にタッチされた際においてもソレノイド４８へ通電されることはなく、ノック部材５２が本体前方の空間に突出する危険を防止できる。
【００２５】
なお、上記本実施形態では、扉開閉を検知するドアスイッチに用いるホールＩＣについて説明したが、本発明は、扉の裏面側に配設された磁石からの磁束を検出するため冷蔵庫側に配設されたホールＩＣに適用することができ、例えば、扉開放ユニット４０においてタッチスイッチ４１へのタッチ操作を検知するホールＩＣ４３の近傍に磁性体からなる磁性部材を配設しても良い。
【００２６】
また、上記本実施形態では、冷凍室扉１９に配設された磁石６１とホールＩＣ６２との間に磁性部材６６を配置したが、本発明はホールＩＣ６２の近傍に磁性部材６６を配置すればよく、例えば、基板６４の後方、すなわち、冷凍室扉１９に配設された磁石６１と磁性部材６６との間にホールＩＣ６２が位置するように磁性部材６６を配置しても良い。
【００２７】
さらにまた、上記本実施形態では、磁性部材６６を基板６２と別個の部材としてスイッチホルダ６８に固定したが、基板６２に配設されたジャンパ線を磁性体で構成し、基板６２に実装されたホールＩＣ６２の近傍にこれを配置することで、ホールＩＣ６２の近傍に磁性体としてのジャンパ線を設けてもよく、これにより、別個に磁性部材６６を設ける必要が無く、部品点数を削減することができる。
【図面の簡単な説明】
【００２８】
【図１】本発明の１実施形態に係る冷蔵庫の外観斜視図である。
【図２】本発明の１実施形態に係る冷蔵庫の開扉状態の冷凍室部分を示す斜視図である。
【図３】扉開放ユニット部分を示す冷蔵庫の分解斜視図である。
【図４】本発明の１実施形態に係る冷蔵庫の部分断面図である。
【図５】従来例の冷蔵庫の要部を示す斜視図である。
【符号の説明】
【００２９】
１０…冷蔵庫  １８…冷凍室   １９…扉
３０…横仕切壁  ４０…扉開放ユニット ４１…タッチスイッチ
６０…ドアスイッチ ６１…磁石    ６２…ホールＩＣ
６４…基板   ６６…磁性部材   ６８…スイッチホルダ
【図１】
2009121742.tif 000003
【図２】
2009121742.tif 000004
【図３】
2009121742.tif 000005
【図４】
2009121742.tif 000006
【図５】
2009121742.tif 000007